(57)【要約】【課題】表面剛性の弱い金属製パネルの表面に凹みが発生するのを防止するのに効果的な補正具付金属製パネル及びその取付方法の提供を目的とする。【解決手段】金属製パネルの裏側に取り付ける補正具であって、補正具は、ケース部材と押当部材と弾性部材とを備え、ケース部材は、金属製パネル又は金属製パネルを取り付ける躯体側と連結してあり、押当部材は、金属製パネルの裏面側に配設してあるとともにケース部材と押当部材との間に弾性部材を配設して押当部材が金属製パネルの裏面側に弾性付勢されていることを特徴とする補正具付金属製パネルとした。【選択図】  図１
2007077688.tif 000002
【特許請求の範囲】
【請求項１】
金属製パネルの裏側に取り付ける補正具であって、
補正具は、ケース部材と押当部材と弾性部材とを備え、
ケース部材は、金属製パネル又は金属製パネルを取り付ける躯体側と連結してあり、
押当部材は、金属製パネルの裏面側に配設してあるとともにケース部材と押当部材との間に弾性部材を配設して押当部材が金属製パネルの裏面側に弾性付勢されていることを特徴とする補正具付金属製パネル。
【請求項２】
補正具を用いた金属製パネルの躯体への取付方法であって、
補正具は、ケース部材と押当部材と弾性部材とを有し、押当部材を金属製パネルの裏面に配設し、ケース部材と押当部材との間に弾性部材を挟み込んだ状態でケース部材を金属製パネル側又は躯体側に取り付ける金属製パネルの躯体への取付方法。
【発明の詳細な説明】
【技術分野】
【０００１】
本発明は、建築物の躯体壁面等に取り付ける金属製のパネル及びその取付方法に関する。
【背景技術】
【０００２】
建築物の外壁面を装飾するために用いられる金属製パネルでは、表面にわずかな凹みが発生しても光沢や映りが悪くなる問題がある。
従来は図５に示すようにパネル１０１の裏側に当てるように補強板１１０を取り付けてパネル表面１０１ａの凹みを防止していたが、加工誤差や取付誤差により充分に凹みを防止することができなかった。
特開２００２−２９４９７５号公報には、パネルとパネル支持体との間にパネルを付勢する弾性部材を設けてパネルのガタつきを防止する技術を開示するが、石材等の剛性パネル材に対するガタつき防止には効果的であっても金属製の薄い板材からなる表面剛性の弱いパネル材には適用できないものである。
【０００３】
【特許文献１】特開２００２−２９４９７５号公報
【発明の開示】
【発明が解決しようとする課題】
【０００４】
本発明は上記技術的課題に鑑みて、表面剛性の弱い金属製パネルの表面に凹みが発生するのを防止するのに効果的な補正具付金属製パネル及びその取付方法の提供を目的とする。
【課題を解決するための手段】
【０００５】
本発明の技術的要旨は、金属製パネルの裏側に取り付ける補正具であって、補正具は、ケース部材と押当部材と弾性部材とを備え、ケース部材は、金属製パネル又は金属製パネルを取り付ける躯体側と連結してあり、押当部材は、金属製パネルの裏面側に配設してあるとともにケース部材と押当部材との間に弾性部材を配設して押当部材が金属製パネルの裏面側に弾性付勢されていることを特徴とする。
ここで金属製パネルの裏側とは、パネルの壁面等への取付側の面をいう。
【０００６】
請求項２記載の発明は、補正具を用いた金属製パネルの躯体への取付方法であって、補正具は、ケース部材と押当部材と弾性部材とを有し、押当部材を金属製パネルの裏面に配設し、ケース部材と押当部材との間に弾性部材を挟み込んだ状態でケース部材を金属製パネル側又は躯体側に取り付ける金属製パネルの躯体への取付方法を特徴とする。
【発明の効果】
【０００７】
本発明に係る金属製パネルの補正具は、金属製パネル裏面を押当部材全体で軽く押圧して、金属製パネルの加工バラツキを吸収し、パネル表面に凹みが発生するのを確実に防止する。
これにより、この補正具を取り付けることでパネル外観映りが向上する。
本発明に係る金属製パネルの躯体等への取付方法は、押当部材の当たり面全体で金属製パネルを軽く押圧した状態で壁面に取り付けるので、施工が容易になる。
【発明を実施するための最良の形態】
【０００８】
本発明に係る補正具１０をハット形の金属製パネル１に取り付ける例を図１に示す。
又、補正具１０の斜視図を図２（イ）に示し、分解図を図２（ロ）に示す。
補正具１０は、断面略コ字形状に形成したケース部材２０の溝凹部２１内に波形バネ３０を入れている。
溝凹部２１には、この実施例の場合に３個の波形バネ３０を長さ方向におおむね均等に配置してある。
溝凹部２１に入れる波形バネ３０の数は、凹部２１内に少なくとも１個あれば良く、特に限定されない。
また弾性を有していれば波形のバネに限定されない。
補正具は、図１（ロ）に示す例では、長手方向を水平にして取り付けてあるが、縦方向や斜め方向に取り付けてもよく、取付方は限定されない。
図１（イ）に示すように波形バネ３０は溝凹部２１の深さ方向（パネルの表裏方向）に弾性変形するように、波形の底部３２と頂部３１を表裏方向に配置してある。
図３に補正具をパネルへ取り付けた状態の縦断面図を示す。
押当部材４０はケース部材２０の溝凹部２１と平行に一対のガイド片４１を設けて、溝凹部の側壁２１ａをガイド片４１の外側に嵌め合わせ、このガイド片４１同士の間に波形バネ３０の底部３２を嵌め入れている。
ケース部材２０は溝凹部２１のパネル側端部２１ｂを幅方向外側にそれぞれ折り曲げてフランジ部２２を形成している。
押当部材４０はガイド片４１の幅方向外側にそれぞれ溝状にフランジ受け凹部４２を形成して、このフランジ部２２を嵌合している。
補正具１０のパネル１への装着時において、押当部材４０はガイド片４１間の押当部受面４０ａを波形バネ３０の底部３２に当接させ、ケース部２０は溝凹部底部２１ｃを波形バネ３０の頂部３１に当接させて、押当部受面４０ａと溝凹部底部２１ｃで波形バネ３０を挟み、パネル１の表裏方向に波形バネ３０を弾性収縮させている。
この波形バネ３０はケース部材２０の溝凹部に所定の間隔を空けて設けてあるので、隙間が波形バネの伸び代を吸収する。
押当部材４０の表側は、平滑な押当部押圧面４０ｂを形成してパネル裏面１ｂに当接している。
【０００９】
図１（イ）に示すように、金属製パネル１は比較的肉厚の薄い板材を用いて、その４辺を曲げ加工して側壁２ａ、２ｂ、２ｃ、２ｄに鍔部３ａ、３ｂ、３ｃ、３ｄを形成し、金属製パネル１において対となる側壁２ａ、２ｂの鍔部３ａ、３ｂは中央部分に切欠部６を設けている。
切欠部６付近のパネル裏面１ｂにはスタッド５を突出させて設けている。
ケース部材と押当部材との間に弾性部材を挟み込み、ケース部材２０の両端にはブラケット５０のケース部材連結孔５３からビス等の連結部材５４を螺入してブラケットを連結し、このブラケット５０に設けた取付片５１を切欠部６に臨むようにして、スタッド５にブラケット５０の取付孔５２を嵌合する。
このようにして、図１（ロ）のように金属製パネル１の裏側の対向する側壁２ａ、２ｂ間に補正具１０を架設する。
補正具１０は、金属製パネル１の対辺に渡るように架設して、波形バネ３０の弾性復元力を用いて押当部材４０でパネル裏面１ｂを押圧出来れば良く、例えばパネル１の側壁２ａ、２ｂにブラケット５０をビス止めして取り付ける。
【００１０】
図３に示すように補正具１０の金属製パネル１への装着により金属製パネル１の表裏方向に弾性収縮するように波形バネを取り付けた状態になり、押当部材はブラケット等と連結していなく波形バネにより金属製パネルの表裏方向自在になっているので、その弾性復元力でパネル裏面１ｂを表方向に向けて押当部材４０を介して押圧する。
これによりパネル表面１ａは２点鎖線で示す補正具取り付け前の状態から表方向にわずかだけ膨らむように作用する。
図３では分かりやすくするためパネル表面の膨らみ幅を大きく描いてある。  
図４に補正具１０を取り付けた金属製パネル１を表側から見た図を示す。
金属製パネル１は、補正具１０を対向する側壁２ａ、２ｂ間に架設して、波形バネ３０の押圧力を押当部材４０で均等分散させて表側へ向けてパネル裏面を押圧することから、パネル表面１ａに凹みが生じるのを防止する。
本発明に係る補正具はケース部材２０を金属製パネル等と連結してあるが押当部材３０は表裏方向に移動自在になっているとともに波形バネ３０により押圧された状態になっているので金属製パネルの加工バラツキや取付バラツキを吸収する。
【図面の簡単な説明】
【００１１】
【図１】本発明に係る補正具を金属製パネルに取り付ける状態の説明図を示す。
【図２】（イ）は補正具の拡大斜視図を示し、（ロ）は補正具の分解図を示す。
【図３】補正具を金属製パネルに取り付けた状態の縦断面図を示す。
【図４】補正具を取り付けた金属製パネルを表側からみた斜視図を示す。
【図５】従来の金属製パネルの取り付け構造例を示す。
【符号の説明】
【００１２】
１      金属製パネル
１ａ    金属製パネル表面
１ｂ    金属製パネル裏面
２ａ、２ｂ、２ｃ、２ｄ  金属製パネル側壁
３ａ、３ｂ、３ｃ、３ｄ  金属製パネル鍔部
５      パネルスタッド
６      パネル切欠部
１０    補正具    
２０    ケース部材
２１    ケース部溝凹部
２１ａ  溝凹部側壁
２１ｂ  溝凹部パネル側端部
２１ｃ  溝凹部底部
２２    フランジ部
３０    波形バネ（弾性部材）
３１    波形バネの頂部
３２    波形バネの底部
４０    押当部材
４０ａ  押当部受面
４０ｂ  押当部押圧面
４１    ガイド片
４２    フランジ受け凹部
５０    ブラケット
５１    ブラケット取付片
５２    ブラケットの取付孔
５３    ブラケットのケース部材連結孔
５４    連結部材
【図１】
2007077688.tif 000003
【図２】
2007077688.tif 000004
【図３】
2007077688.tif 000005
【図４】
2007077688.tif 000006
【図５】
2007077688.tif 000007